(57)【要約】【課題】個人または家族単位でのみ閲覧可能に墓参をした際の記録を付けることができ、墓参をする際の作法や仏事の基本的な知識を伝えることができる墓参手帳を提供する。【解決手段】左側頁に墓参をした日付、墓参をした時刻、墓参をした際の同行者、墓参をした日の天候および気温が記録される欄が具備され、隣接する右側頁に備考欄が設けられた頁からなる墓参手帳であって、前記頁が、表表紙と裏表紙とからなる表紙層によって少なくとも見開き可能に綴り合わされてなる墓参手帳。【選択図】図１
0003146415.tif 000002
【実用新案登録請求の範囲】
【請求項１】
左側頁の最上段にお参り記録という文字列が印刷され、
該文字列の下に、墓参をした日付を記録する欄が設けられ、
該墓参をした日付を記録する欄の下に、該墓参をした者を記録する欄が設けられ、
前記左側頁に隣接する右側頁全体に渡って備考欄が設けられた頁からなる墓参手帳であって、
前記頁が、表表紙と裏表紙とからなる表紙層によって少なくとも見開き可能に綴り合わされてなる
ことを特徴とする墓参手帳。
【請求項２】
前記墓参手帳において、墓参をした時刻を記録する欄が前記墓参をした日付を記録する欄の下に設けられ、
前記墓参をした者を記録する欄の下に、該墓参をした日の天候および気温が記録される欄が設けられてなることを特徴とする請求項１記載の墓参手帳。
【請求項３】
墓参に準備するものとして、お掃除用品、お線香、ローソク、ライター、お花、お供え物および数珠が記載され、墓参の時期として、お正月、春彼岸、お盆、秋彼岸および故人の命日が記載された頁とを備えてなる請求項１または２記載の墓参手帳。
【請求項４】
墓参の作法として、
（ａ）まずご本尊様にお参りすること、
（ｂ）お墓周り、墓石の清掃をすること、
（ｃ）清掃の後にお参りをすること、
（ｄ）お供え物をすること、
（ｅ）ローソクに火を灯すこと、
（ｆ）お線香をお供えすること、
（ｇ）数珠をかけ、合掌礼拝すること
が記載された頁を備えてなる請求項１〜３のいずれかに記載の墓参手帳。
【請求項５】
お墓の掃除の手順として、
（i）お墓周りの草むしりをすること、
（ii）ゴミを拾うこと、区画内の玉砂利を敷き均すること、
（iii）墓石をブラシや布で洗い磨くこと、
（iv）花立ておよびローソク立てなどを洗うこと、
（v）最後にきれいな布でふき取ること
が記載された頁を備えた請求項１〜４のいずれかに記載の墓参手帳。
【請求項６】
左側頁の上部に前記墓参手帳の持ち主の氏名、住所および電話番号が順に記載される欄が設けられ、
前記左側頁の下部に菩提寺の名称、宗派、所在地、電話番号、ＦＡＸ番号およびメールアドレスが順に記載される欄が設けられ、
前記左側頁に隣接する右側頁の上部に墓地の名称、所在地、電話番号、ＦＡＸ番号およびメールアドレスが順に記載される欄が設けられ、
前記右側頁の下部に現在の住職の名称および代理の名称が順に記載される欄が設けられた頁を備えた請求項１〜５のいずれかに記載の墓参手帳。
【考案の詳細な説明】
【技術分野】
【０００１】
本考案は、墓参手帳に関する。さらに詳しくは、世代を越えて墓参の記録を紡いでいくことができ、親から子への世代交代の場合にも、当該墓参手帳を譲り渡すだけで故人に関する情報を容易に引き継ぐことのできる墓参手帳に関する。
【背景技術】
【０００２】
従来、墓参をする際に必要とされる事柄は、祖父・祖母から親へ、親から子へ、子から孫へ代々伝えられ、主に口頭により引き継がれていた。
【０００３】
また、実家から遠く離れたところに住んでいる場合、お盆や正月しか墓参をすることができない人も多い。年に数回しか墓参ができない人は、前回墓参をした内容を覚えていないことが多い。そこで、従来では、墓参をした際の内容を忘れないために、自分の手帳や墓石の近くに立てられた小屋のお墓参り用の記録ノートなどに墓参をした記録を書き込んでいた。
【考案の開示】
【考案が解決しようとする課題】
【０００４】
しかし、口頭で親から子へ語り継がれるだけなので、墓参をする際の様式や作法は近代化に伴って廃れつつある。
【０００５】
また、自分の手帳に墓参をした際の記録を書き込む場合、自分のプライベートと混在してしまうので自分専用の記録となり、以降の世代（子や孫）に伝え難いという問題があった。さらに、お墓参り記録ノートに墓参をした記録を書き込むことも考えられるが、お墓参り記録ノートは公に公開されるものなので、大事なことは書き込めず不便である。
【０００６】
そこで、本考案は、墓参をした記録をつけることで世代を越えて墓参をした際の記録を紡いでいくことができ、かつ、近代化に伴って廃れつつある墓参をする際の作法や仏事の一般的な知識が書き込まれた墓参手帳を提供することを目的とするものである。
【課題を解決するための手段】
【０００７】
本考案の墓参手帳は、左側頁の最上段にお参り記録という文字列が印刷され、該文字列の下に、墓参をした日付を記録する欄が設けられ、該墓参をした時刻を記録する欄の下に、該墓参をした者を記録する欄が設けられ、前記左側頁に隣接する右側頁全体に渡って備考欄が設けられた頁からなる墓参手帳であって、前記頁が、表表紙と裏表紙とからなる表紙層によって少なくとも見開き可能に綴り合わされてなることを特徴とする。
【０００８】
また、前記墓参手帳において、墓参をした時刻を記録する欄が前記墓参をした日付を記録する欄の下に設けられ、前記墓参をした際に同行した者を記録する欄の下に、該墓参をした日の天候および気温が記録される欄が設けられてなることが好ましい。
【０００９】
また、墓参に準備するものとして、お掃除用品、お線香、ローソク、ライター、お花、お供え物および数珠が記載され、墓参の時期として、お正月、春彼岸、お盆、秋彼岸および故人の命日が記載された頁とを備えてなることが好ましい。
【００１０】
墓参の作法として、（ａ）まずご本尊様にお参りすること、（ｂ）お墓周り、墓石の清掃をすること、（ｃ）清掃の後にお参りをすること、（ｄ）お供え物をすること、（ｅ）ローソクに火を灯すこと、（ｆ）お線香をお供えすること、（ｇ）数珠をかけ、合掌礼拝することが記載された頁を備えてなることが好ましい。
【００１１】
また、お墓の掃除の手順として、（i）お墓周りの草むしりをすること、（ii）ゴミを拾うこと、区画内の玉砂利を敷き均すること、（iii）墓石をブラシや布で洗い磨くこと、（iv）花立ておよびローソク立てなどを洗うこと、（v）最後にきれいな布でふき取ることが記載された頁を備えてなることが好ましい。
【００１２】
また、左側頁の上部に前記墓参手帳の持ち主の氏名、住所および電話番号が順に記載される欄が設けられ、前記左側頁の下部に菩提寺の名称、宗派、所在地、電話番号、ＦＡＸ番号およびメールアドレスが順に記載される欄が設けられ、前記左側頁に隣接する右側頁の上部に墓地の名称、所在地、電話番号、ＦＡＸ番号およびメールアドレスが順に記載される欄が設けられ、前記右側頁の下部に現在の住職の名称および代理の名称が順に記載される欄が設けられた頁を備えたことが好ましい。
【考案の効果】
【００１３】
本考案の墓参手帳によれば、世代を越えて墓参をした記録を紡いでいくことができる。世代交代の際に、当該墓参手帳を譲り渡すだけで、先祖の情報、墓石の情報、菩提寺の名称、宗派、所在地等の情報を伝えることができるので、当該手帳を持って住職に会いに行くだけで、住職から故人の話を聞くこともできる。さらに、近代化に伴って廃れつつある墓参をする際の作法や仏事の基本的な知識を伝えることができる。
【考案を実施するための最良の形態】
【００１４】
以下、添付図面に基づいて本考案の墓参手帳について説明する。
【００１５】
図１は本考案の墓参手帳の斜視図、図２は本考案の墓参手帳の表表紙および裏表紙の説明図、図３は本考案の墓参手帳の序頁の説明図、図４は本考案の墓参手帳の準備頁および作法紹介頁の説明図、図５は本考案の墓参手帳の清掃手順紹介頁および注意事項喚起頁の説明図、図６は本考案の墓参手帳の墓参記録頁の説明図、図７は本考案の墓参手帳のおぼえ書頁の説明図である。
【００１６】
実施の形態
図１に示すように、墓参手帳１は表表紙２１と裏表紙２２とからなる表紙２と、前記表表紙２１と裏表紙２２の間に綴じられた複数枚の紙葉３とからなる。墓参手帳１は、現在一般的に使用されている無線とじや、該無線とじの一種である網代とじなど既知の方法で製造される。当該墓参手帳１の大きさとしては、持ち運び可能である限り問題はないが、ポケットに収容できる簡便さの観点から、縦１２〜１５ｃｍ、横８〜１０ｃｍ、厚さ１ｃｍ前後であることが好ましい。小さすぎると紛失しやすく、大きすぎると持ち運びに不便であるためである。厚さについても同様で、薄すぎると紛失しやすく、厚すぎると持ち運びに不便である。また、墓参手帳１は、一家に一冊配布されることを想定しており、記録する欄が埋められると、新たな墓参手帳１がたとえば住職から手渡される。墓参手帳１は、自分で買ってもよく、既知の様々な方法で入手可能である。
【００１７】
図２に示すように、表表紙２１には、たとえば「墓参手帳」などの題号４が印刷してある。表紙２の素材は、高級感を出すために天然皮革で作製されることが望ましいが、これに限定されるものではなく、合成皮革、布地、ビニール地または厚紙製の用紙にビニール地のカバーをさらに被せたもので表紙２を形成することもできる。また、高級感を出すために、題号４が赤字または金字で印刷されていることがなお好ましい。また、墓参手帳の中身を拝見しなくても誰の墓参手帳なのかを判別するために、表紙２に遺族の家名、宗教名などを記載する欄を設けてもよい。
【００１８】
図３は、当該墓参手帳の使い方、墓参をする際の心がけなどを表示した序頁１０を説明した図である。墓参手帳を見るのが初めての人であっても、序頁１０を見るだけで墓参手帳の用途が分かり、より効率的に墓参手帳を用いることができる。前記序頁１０に、宗派の心得などを記載してもよい。序頁１０を表表紙２１に隣接するように綴じることで、墓参手帳を開くたびに宗派の心得を拝見することができ、宗派の心得についての反復した勉強ができるとともに、人によっては心を落ち着かすこともできる。
【００１９】
図４は、墓参をする際に必要な物および墓参をする時期を示した準備頁２０、および墓参をする際の作法の一般例を示した作法紹介頁３０を見開きで表示した頁である。準備頁２０に記載された内容を読むことによって、事前に墓参をする際に必要な物の確認ができるので忘れ物を防止することができる。また、本実施の形態において、前記準備頁２０には、一般的に多くの人が墓参をする時期も記載されているので、墓参手帳を見た人は、日常生活において特別な時期を認識することができる。また、前記墓参手帳に、前記特別な時期の由来（意義）を説明した頁を付加することによって、墓参手帳を読んだ人は新たな価値観を得ることができ、新たな視点から墓参をすることができる。
【００２０】
さらに、作法紹介頁３０によって墓参をする際の作法が表示されるので、仏事上の最低限のマナーを確認することができる。近年においては、年配者が当然に知っていることを若者が知らないので、仏事上の立ち居振る舞いにおいて、若者が年配者に知らないところで反感を買っていることが多い。そこで、仏事上の最低限のマナーを墓参手帳で確認することで、若者の無知による仏事上の立ち居振る舞いによって年配者の反感を買うことを防止できるという点において、前記作法紹介頁３０は非常に有用である。また、本実施の形態では一般的な例しか示していないが、これに限られるものではなく、宗派毎に特別な作法や墓参をする際の時期が存在する場合もあるので、別途宗派毎の事情を記載できる欄を設けてもよい。
【００２１】
図５は、お墓の掃除の手順を示した清掃手順紹介頁４０および墓参の後に注意すべき事項を表示した注意事項喚起頁５０である。墓石は、故人が眠る場所なので綺麗にしておきたいが、普段墓参をしない人はどこをどう清掃すればよいのか分からない。そこで、清掃手順紹介頁４０が表示されており、お墓のどこをどう清掃すればよいかを表示しているため、当該清掃手順紹介頁４０に沿って清掃を行うことができる。詳しくは、お墓には、墓石本体、お墓周り、花立て、玉砂利およびローソク立てなど様々な清掃すべき箇所があるが、何も知らない人は、墓石に水をかけて、新しい花やローソクを立てて終わりにすることが多い。しかし、お墓周りや玉砂利、墓石にこびり付いたコケなどによって、周囲の人から見た墓石の印象は悪くなる。そこで、お墓をきれいに保つために最低限必要な清掃手順を示すことで、いつも気持ちよく墓参ができ、結果故人を大切にすることにつながる。ここで、本実施の形態では、掃除の手順のみを表示しているが、これに限られるものではなく、宗派や各家の伝統に合わせてより細かい表示にしたり、清掃手順のチェック表を設けたりして確実に清掃を行えるようにしてもよい。
【００２２】
また、墓参は、一度参ると次に参るまでに時間がかかることが多いので、墓参をした後の行動は重要である。たとえば、ローソクに火をつけたままにしておくと、周りに燃えやすいものがある場合は火事になりやすいが、近所に住んでいない場合が多いため、火事になってもすぐに行動を起こすことができない。また、墓参をする際にお供え物をする人が多いが、お供え物を置いたままにすると、野生の動物がお供え物につられてお墓を荒らされる。なお、お墓が荒らされなくとも、風雨にやられてお墓の上でお供え物が腐ってしまい、お墓が汚れてしまう。そこで、注意事項喚起頁５０により、墓参の後に火の元を確認することや、お供え物を持って帰ることを喚起することで、上記問題を予防できる。
【００２３】
図６に示されるように、お参り記録を付けるための墓参記録頁６０が設けられている。該墓参記録頁６０は、複数頁に渡って当該墓参手帳に綴じられ、該墓参記録頁６０の左側頁には、墓参をした日付を記録する日付欄６１、墓参をした時刻を記録する時刻欄６２、墓参をした際の同行者を記録する同行者欄６３、墓参をした日の天候を記録する天候欄６４および墓参をした日の気温を記録する気温欄６５が具備されている。また、右側頁には、その他の内容を記録するための備考欄６６が形成されており、記録しやすくするために、罫線を引いている。
【００２４】
前記墓参記録頁６０は、複数回の墓参をした際の記録を取ることができるように、複数枚に渡って綴じられており、前回行った日や、天候、備考欄などを参照することで、前回の墓参をした際の記憶を鮮明に呼び起こすことが可能になる。なお、本実施の形態においては、日毎の記録を取ることができるように墓参記録頁６０が設けられているが、当該墓参記録頁６０の他に、墓参をした日付だけを記録する専用の頁を設けてもよい。日付だけを記録する専用の頁を設けることにより、墓参をした日にちの間隔、および定期的に墓参をしているか、不定期になっていないかが一目で確認できる。
【００２５】
図７は、墓参手帳の所有者に関する情報を記載した頁を示す図である。該墓参手帳の所有者に関する情報としては、所有者情報欄７１に、墓参手帳の所有者の氏名、住所、電話番号が記載される。所有者の菩提寺に関する情報としては、菩提寺情報欄７２に、当該菩提寺の寺の名称（たとえば○○山○○寺など）、宗派、所在地、電話番号、ＦＡＸ番号、メールアドレスが記録される。墓地（霊園）に関する情報としては、墓地（霊園）情報欄７３に、墓地（霊園）の名称、所在地、電話番号、ＦＡＸ番号、メールアドレスが記録される。また、菩提寺の住職および代理に関する情報は、住職情報欄７４に記録される。本実施の形態においては、墓地（霊園）に関する情報を墓地（霊園）情報欄７３に記録しているが、墓所頁に記録されるため、省略することもできる。代わりに、住職の情報を詳細に記録したり、菩提寺の写真を貼り付ける欄を設けたりすることも可能である。
【００２６】
このように、本考案における墓参手帳は、墓参および法事の記録を取るための手帳であり、記録を取るだけでなく、その他必要な情報が記載された各頁を具備することができる。さらに、当該墓参手帳は、好ましくは住職から直接手渡されるので、住職に詳細な点を聞いて、各家特有の様式に合わせた墓参手帳を作成することもできる。したがって、何の予備知識も持たないまま墓参をする場合や法事に参加する場合でも、本考案における墓参手帳を読むことで最低限のことができるようにする墓参手帳を提供することができる。
【００２７】
なお、本実施の形態では、既製の頁が複数頁用意されているが、これに限られるものではなく、使用者の要望に合わせて、頁数を増やしたり、内容を変更したりすることも可能である。また、家庭毎に合わせて墓参手帳を製造することもできる。その場合、費用は高くつくが、各家庭固有の墓参手帳が代々受け継がれていくことになるので、墓参手帳がより大切に扱われ、各家の伝統が引き継がれやすくなる。
【図面の簡単な説明】
【００２８】
【図１】本考案の墓参手帳の斜視図である。
【図２】本考案の墓参手帳の表表紙および裏表紙の説明図である。
【図３】本考案の墓参手帳の序頁の説明図である。
【図４】本考案の墓参手帳の準備頁および作法紹介頁の説明図である。
【図５】本考案の墓参手帳の清掃手順紹介頁および注意事項喚起頁の説明図である。
【図６】本考案の墓参手帳の墓参記録頁の説明図である。
【図７】本考案の墓参手帳のおぼえ書頁の説明図である。
【符号の説明】
【００２９】
１  墓参手帳
２  表紙
３  紙葉
４  題号
１０  序頁
２０  準備頁
２１  表表紙
２２  裏表紙
３０  作法紹介頁
４０  清掃手順頁
５０  注意事項喚起頁
６０  墓参記録頁
６１  日付欄
６２  時刻欄
６３  同行者欄
６４  天候欄
６５  気温欄
６６  備考欄
７０  おぼえ書頁
７１  所有者情報欄
７２  菩提寺情報欄
７３  墓地（霊園）情報欄
７４  住職情報欄
【図１】
0003146415.tif 000003
【図２】
0003146415.tif 000004
【図３】
0003146415.tif 000005
【図４】
0003146415.tif 000006
【図５】
0003146415.tif 000007
【図６】
0003146415.tif 000008
【図７】
0003146415.tif 000009